(57)【要約】【課題】歯科診療装置における水回路内のバイオフィルムの洗浄除去を簡単な構造で可能とし、しかも既存の歯科診療装置への組み込みも簡易に行うことを可能とする。【解決手段】水圧源１と、水圧源１からの加圧水を加圧水供給用バルブ群を介してハンドピース１４に供給する加圧水供給管路１ａと、加圧水供給管路１ａに殺菌液を供給するための殺菌液供給源９２と、水圧源１と加圧水供給管路１ａとの連結部分に設けられた切替バルブ９３とを備える。殺菌液供給源９２が切替バルブ９３を介して加圧水供給管路１ａに接続可能となっている。【選択図】  図１
2004321276.tif 000002
【特許請求の範囲】
【請求項１】
水圧源と、水圧源からの加圧水を加圧水供給用バルブ群を介してハンドピースに供給する加圧水供給管路と、加圧水供給管路に殺菌液を供給するための殺菌液供給源と、水圧源と加圧水供給管路との連結部分に設けられた切替バルブとを備えており、前記殺菌液供給源が切替バルブを介して加圧水供給管路に接続可能となっていることを特徴とする歯科用ユニットの洗浄装置。
【請求項２】
前記水圧源及び水圧源の下流側に接続された濾過フィルタがサプライボックスに設けられており、前記切替バルブ及び殺菌液供給源がサプライボックスの出口側に接続可能となっていることを特徴とする請求項１記載の歯科用ユニットの洗浄装置。
【請求項３】
水圧源と、水圧源からの加圧水を加圧水供給用バルブ群を介してハンドピースに供給する加圧水供給管路と、加圧水供給管路に殺菌液を供給するための殺菌液供給源と、殺菌液供給源から殺菌液を押し出す加圧手段と、水圧源からの加圧水が流量調整弁を介して供給される水用ワンタッチジョイントとを備え、前記殺菌液供給源が水用ワンタッチジョイントと接続可能となっており、水用ワンタッチジョイントとの接続状態で加圧手段により水用ワンタッチジョイントを通じて殺菌液が加圧水供給管路に供給されることを特徴とする歯科用ユニットの洗浄装置。
【請求項４】
前記水圧源と水用ワンタッチジョイントとを連結する管路に、水圧源への逆流を防止する逆止弁が設けられていることを特徴とする請求項３記載の歯科用ユニットの洗浄装置。
【発明の詳細な説明】
【０００１】
【発明の属する技術分野】
本発明は、歯科用ユニットの洗浄装置に関し、特に、歯科用ユニットを構成する水回路内に繁殖する細菌を確実に除去することが可能な歯科用ユニットの洗浄装置に関する。
【０００２】
【従来の技術】
歯科用ユニットの水回路内に残留水がある場合、残留水中の細菌が増加傾向にあるため、毎日の診療前に最低３分以上、水回路、ハンドピースを含む全ての歯科用治療器具から残留水を排出する洗浄（フラッシング）を行っている。このフラッシングは、まず、ハンドピース類のインターロック（治療時にインスツルメントハンガーから最初に取り上げたハンドピースのみを駆動させる優先回路機構）を解除し、次に、ハンドピース類を鉢洗い上に設置した小受けにセットし、加圧水供給源から水回路に水を供給することによってハンドピース類の先端まで流水させるものである。
【０００３】
しかしながら、フラッシングを実行しても水回路の管壁に付着した細菌巣（バイオフィルム）を除去することが難しい。特に、休診日等で歯科用ユニットを長時間使用しない場合には、バイオフィルムが増殖し易いため歯科診療の安全性に対して不安材料となっている。
【０００４】
このため、次亜塩素酸を生成してバイオフィルムを除去洗浄する歯科用治療装置が従来より開発されている。この歯科用治療装置は、塩化ナトリウムと塩酸とを混合した水を無隔膜電解層で電気分解して、所定の残留遊離塩素濃度及び所定の酸性ｐＨに調整した殺菌水を生成する殺菌水生成装置を水回路に配置するものである（例えば、特許文献１参照）。
【０００５】
【特許文献１】
特開平１１−１９２２４７号公報
【０００６】
【発明が解決しようとする課題】
しかしながら、従来の歯科用治療装置では、電気分解によって殺菌水を生成することから、そのための電力が必要であると共に電力供給のための回路や配線を組み込む必要がある。また、殺菌水の使用に際しては、所定の塩素濃度やｐＨ値に調整する必要がある。このため、構造が複雑となっているばかりでなく、使用の際の制御が面倒となっている。さらに、歯科診療装置に組み込む場合には、歯科診療装置の大幅な設計変更が必要であり、そのままでは既存の歯科診療装置に適用できない汎用性のないものとなっている。
【０００７】
本発明は、このような従来の問題点を考慮してなされたものであり、簡単な構造で水回路内のバイオフィルムの洗浄除去を行うことができ、しかも既存の歯科診療装置への組み込みも簡易に行うことが可能な歯科用ユニットの洗浄装置を提供することを目的とする。
【０００８】
【課題を解決するための手段】
上記目的を達成するため、請求項１の発明の歯科用ユニットの洗浄装置は、水圧源と、水圧源からの加圧水を加圧水供給用バルブ群を介してハンドピースに供給する加圧水供給管路と、加圧水供給管路に殺菌液を供給するための殺菌液供給源と、水圧源と加圧水供給管路との連結部分に設けられた切替バルブとを備えており、前記殺菌液供給源が切替バルブを介して加圧水供給管路に接続可能となっていることを特徴とする。
【０００９】
請求項１の発明では、殺菌液供給源が切替バルブを介して殺菌液供給源に接続されるため、通常の歯科診療では、切替バルブを加圧水供給管路側に投入することにより加圧水をハンドピースに供給し、洗浄が必要となったとき、切替バルブを殺菌液供給源側に投入することにより加圧水供給管路の内部を洗浄することができる。従って、切替バルブの切り替えを行うだけであり、簡単な構造で水回路内の洗浄を行うことができる。
【００１０】
また、このような構造では、切替バルブ及び殺菌液供給源を加圧水供給管路に接続するだけで良く、既存の歯科診療装置に設計変更を要することなく組み込むことができるため、汎用性のあるものとすることができる。
【００１１】
請求項２の発明は、請求項１記載の歯科用ユニットの洗浄装置であって、前記水圧源及び水圧源の下流側に接続された濾過フィルタがサプライボックスに設けられており、前記切替バルブ及び殺菌液供給源がサプライボックスの出口側に接続可能となっていることを特徴とする。
【００１２】
請求項２の発明では、切り替えバルブ及び殺菌液供給源をサプライボックスの出口側に接続するだけで良いため、サプライボックス自体や加圧水供給管路自体への設計変更が不要となり、簡単に組み込むことが可能となる。
【００１３】
請求項３の発明の歯科用ユニットの洗浄装置は、水圧源と、水圧源からの加圧水を加圧水供給用バルブ群を介してハンドピースに供給する加圧水供給管路と、加圧水供給管路に殺菌液を供給するための殺菌液供給源と、殺菌液供給源から殺菌液を押し出す加圧手段と、水圧源からの加圧水が流量調整弁を介して供給される水用ワンタッチジョイントとを備え、前記殺菌液供給源が水用ワンタッチジョイントと接続可能となっており、水用ワンタッチジョイントとの接続状態で加圧手段により水用ワンタッチジョイントを通じて殺菌液が加圧水供給管路に供給されることを特徴とする。
【００１４】
請求項３の発明では、殺菌液供給源を水用ワンタッチジョイントに接続した状態で加圧手段によって殺菌液を押し出すことにより、水用ワンタッチジョイントから加圧水供給管路に殺菌液を流して洗浄を行う。従って、既存の水用ワンタッチジョイントに対しての接続を行うだけで良く、簡単な構造で水回路内の洗浄を行うことができ、しかも既存の歯科診療装置に設計変更を要することなく組み込むことができる。
【００１５】
請求項４の発明は、請求項３記載の歯科用ユニットの洗浄装置であって、前記水圧源と水用ワンタッチジョイントとを連結する管路に、水圧源への逆流を防止する逆止弁が設けられていることを特徴とする。
【００１６】
このように逆止弁を設けることにより、殺菌液が水圧源へ逆流することがなくなるため、殺菌液の浪費を防止することができる。
【００１７】
【発明の実施の形態】
以下、本発明を図示する実施の形態により具体的に説明する。なお、各実施の形態において、同一の部材には同一の符号を付して対応させてある。
【００１８】
（実施の形態１）
図１は、本発明の実施の形態１の配管構成図を示す。この実施の形態の歯科用ユニットは、サプライボックス１００、フットバルブ２１ａを有するフットコントローラ２１、テーブル１５０、バルブブロック１７０、鉢洗いユニット１８０、リンスユニット１９０を有している。
【００１９】
サプライボックス１００には、水圧源１及び水圧源１に接続された加圧水供給管路１ａが設けられると共に、加圧水供給管路１ａには水圧源１側から下流側に向かって順に開閉コック２、フィルタ３ａ、逆止弁４、工事ボックス用コック２ａ、減圧弁５、濾過フィルタ３ｂが接続されている。この場合、濾過フィルタ３ｂとしては、中空糸フィルタが使用されるものである。
【００２０】
また、以上の加圧水供給経路に加えて、サプライボックス１００には圧縮空気供給経路が配設されている。すなわち、１６は空気圧源であり、この空気圧源１６に圧縮空気供給管路１５ａが接続し、この圧縮空気供給管路１５ａに開閉コック１７、減圧弁１８、ドレン付きフィルター１９、圧力計２０、前記フットコントローラ２１を順に接続されている。
【００２１】
加圧水供給管路１ａには、それぞれ分岐管路である加圧水供給管路１ｂ、コップ給水管路１ｃ、鉢洗い管路１ｄが分岐接続されている。
【００２２】
分岐管路としての加圧水供給管路１ｂには、バルブブロック１７０の１次側の入口２８にフットコントローラ２１から出力される信号によって作動する加圧水供給バルブ６が接続されている。加圧水供給管路１ｂは、入口２８、出口２９を経由するバルブブロック１７０内の１次側の配管となっており、出口２９の後段に電磁弁７が接続された後、鉢洗いノズル１３に連通している。
【００２３】
コップ給水管路１ｃは、加圧水供給管路１ａから分岐してウォーマー９、コップ給水電磁弁１０に接続されており、さらにコップ１９２へ水を注水するコップ給水パイプ１１に接続されている。
【００２４】
鉢洗い管路１ｄは、濾過フィルタ３ｂの上流側で加圧水供給管路１ａから分岐しており、鉢洗い給水電磁弁１２に接続され、さらにその端部が鉢洗い１９１に水を供給する鉢洗いノズル１３に接続されている。
【００２５】
前記加圧水供給管路１ｂにおいては、バルブブロック１７０内で分岐点３０、３１、３２からそれぞれ分岐管路が設けられて、４個の加圧水供給用バルブ２６、４個の流量調整弁２７が接続されており、最後にハンドピース１４の先端の水噴射ノズル部のタービン５１、マイクロモータ５２及びタービン５３、スケーラ等のオプション５４に各々接続されている。
【００２６】
圧縮空気供給管路１５ａは、フットコントローラ２１を経た後、テーブル１５０、バルブブロック１７０内に延長している。そしてバルブブロック１７０内では、４個のバルブ４１が接続されており、各バルブ４１の出口側がハンドピース１４の先端の水噴射ノズル部のタービン５１、マイクロモータ５２及びタービン５３及びスケーラ等のオプション５４に各々接続されている。
【００２７】
また、圧縮空気供給管路１５ａに対しては、分岐管路である圧縮空気供給管路１５ｂが逆止弁２２を経て接続されている。圧縮空気供給管路１５ｂはテーブル１５０、バルブブロック１７０内に延長されており、バルブブロック１７０内においては、４個の信号弁２５が接続されている。
【００２８】
圧縮空気供給管路１５ｂには、分岐管路である圧縮空気供給管路１５ｃが接続され、この圧縮空気供給管路１５ｃに減圧弁１８ａが接続されている。そして、減圧弁１８ａの出口側には、スプレー用及びチップエアー用を供給する圧縮空気供給管路１５ｈ、１５ｍが分岐され、それぞれの管路１５ｈ、１５ｍには各々バルブ２３ａ、２３ｂが接続されている。バルブ２３ａ、２３ｂの出口の管路は、流量調節弁４３、シャトル弁４４を経てバルブブロック１７０内に延長されることにより４個のバルブ４５が接続されており、各バルブ４５の出口側がハンドピース１４の先端のノズル部のタービン５１、マイクロモータ５２及びタービン５３及びスケーラ等のオプション５４に各々接続されている。
【００２９】
前記４個の信号弁２５は、圧縮空気供給管路１５ｂによって供給される圧縮空気により各々動作し、各々の出力信号により４個の加圧水供給用バルブ２６、４個のバルブ４１、４個のバルブ４５の開閉制御を個別に行うようになっている。圧縮空気供給管路１５ｂには、さらに分岐管路１５ｆが設けられており、この分岐管路１５ｆが流量調節弁４６を介してエアーワンタッチジョイント４７に接続されている。
【００３０】
また、流量調節弁４６の前段には減圧弁４８が接続され、減圧弁４８の出口側にスリーウェイシリンジ４９が接続されている。スリーウェイシリンジ４９には、コップ給水管路１ｃから流量調節弁２７を介して水が供給されるようになっている。同様にコップ給水管路１ｃには、流量調節弁２７を介して水用ワンタッチジョイント６１が接続されており、これにより水用ワンタッチジョイント６１に水が供給されるようになっている。
【００３１】
また、圧縮空気供給管路１５ｍには分岐管路１５ｇが接続されており、ハンドピース１４の一つであるスリウェイシリンジ６２に対して分岐管路１５ｇから圧縮空気が供給されるようになっている。
【００３２】
この実施の形態においては、リンスユニット１９０を有し、リンスユニット１９０にバキューム７１、吸水管７２が接続されている。すなわち、コップ給水管路１ｃからは分岐管路１ｅが分岐されており、分岐管路１ｅには電磁弁７３、逆止弁付きタンク７４が接続され、逆止弁付きタンク７４からフィルタ７５、調節弁７６を経て吸水管７２に吸水可能となっている。また、セントラルバキューム部８０の動作により、バキューム７１により吸い取った水を調節弁７７、分岐弁７５を経てリンスユニット１９０に設けた貯留タンク７８に送って排水可能となっている。貯留タンク７８の底部は排水系に接続されるものである。さらに、タービン５１、５３間の逆流を防止する逆止弁８１、電磁弁８２、ストラップ８３を有するノーバックシステム部９０が配置されている。符号９１は、圧縮空気供給管路１５ａに接続されたタンクである。
【００３３】
以上に加えて、この実施の形態では、殺菌液供給源９２及び切替バルブ９３を備えるものである。切替バルブ９３は、水圧源１に接続された加圧水供給管路１ａに挿入されることにより同管路１ａに接続され、殺菌液供給源９２は切替バルブ９３に接続されている。
【００３４】
切替バルブ９３は加圧水供給管路１ａにおける濾過フィルタ３ｂの下流側に接続されるものである。この実施の形態において、切替バルブ９３は、水圧源１及び濾過フィルタ３ｂを内部に配置したサプライボックス１００の出口側で加圧水供給管路１ａに接続されるものであり、これにより切替バルブ９３及び切替バルブ９３に接続された殺菌液供給源９２は、サプライボックス１００及びテーブル１５０の外側に位置した状態で加圧水供給管路１ａに接続される。なお、切替バルブ９３としては、手動での切り替えが可能な三方弁が使用される。
【００３５】
殺菌液供給源９２は、加圧水供給管路１ａに殺菌液を供給するものであり、このため、殺菌液が貯留されたタンクなどが使用される。殺菌液としては、加圧水供給管路１ａの管壁に付着したバイオフィルムの細菌の殺菌力を有するものが使用される。この殺菌液としては、消毒用エタノール、イソプロパノール等のアルコール類、クエン酸、酢酸等の有機酸、過酸化水素等の水溶性過酸化物、次亜塩素酸ナトリウム等の塩素酸塩、その他のものを一種または複数組み合わせて用いることができる。この内、易分解性で且つ人体への毒性を考慮した場合、アルコール類、有機酸、過酸化水素等が好適である。また、その濃度は、水圧源１からの水と混合されても殺菌力が失わない程度で適宜選定される。
【００３６】
このような実施の形態において、切替バルブ９３を加圧水供給管路１ａ側に投入することにより加圧水をハンドピース１４に供給することができ、これにより通常の歯科診療を行う。一方、加圧水供給管路１ａの洗浄が必要となったときには、切替バルブ９３を殺菌液供給源９２側に投入する。これにより、加圧水供給管路１ａ内の殺菌液が加圧水と共に加圧水供給管路１ａに供給される。
【００３７】
この供給により、殺菌液の混合水が下流側の加圧水供給管路１ｂ、コップ給水管路１ｃに流入し、加圧水供給管路１ｂのバルブ２６、流量調整弁２７を経てハンドピース１４に供給されると共に、コップ給水管路１ｃのウォーマー９、コップ給水電磁弁１０、コップ給水パイプ１１に供給され、さらに流量調整弁２７を介して水用ワンタッチジョイント６１に供給される。これにより、これらの部材の内部や管壁を洗浄し、これの内部や管壁に付着しているバイオフィルムを殺菌して除去することができる。
【００３８】
かかる殺菌液による洗浄が終了した後は、切替バルブ９３を再度、加圧水供給管路１ａ側に投入して流水を行うことにより、殺菌液の残留濃度を規定値以下とする。これにより、良好な衛生状態下での歯科診療を行うことができる。
【００３９】
このような実施の形態では、切替バルブ９３の切り替えを行うだけで殺菌液による洗浄及び通常の加圧水の供給を行うことができるため、簡単な構造で水回路内の洗浄が可能となる。また、切替バルブ９３及び殺菌液供給源９２を加圧水供給管路１ａに接続するだけで良いため、既存の歯科診療装置に設計変更を要することなく組み込むことができ、汎用性のあるものとすることができる。特に、この実施の形態では、切り替えバルブ９３及び殺菌液供給源９２がサプライボックス１００の出口側に接続する構造のため、サプライボックス１００やテーブル１５０への設計変更が不要となり、簡単に組み込みことが可能となる。
【００４０】
なお、この実施の形態では、切り替えバルブ９３及び殺菌液供給源９２をサプライボックス１００の出口側に接続しているが、これらをサプライボックス１００の内部やテーブル１５０の内部に配置することも可能である。また、切替バルブ９３としては、水圧源１と殺菌液供給源９２との切り替えを行うものであれば良く、複数の逆止弁を組み合わせて用いても良い。
【００４１】
（実施の形態２）
図２は、本発明の実施の形態２の配管構成図を示す。この実施の形態では、殺菌液供給源９２を水用ワンタッチジョイント６１に接続可能とするものである。
【００４２】
殺菌液供給源９２は、加圧手段９４が接続された状態で水用ワンタッチジョイント６１の出口側に連結される。水用ワンタッチジョイント６１への接続は、直接或いはアダプター等の治具を用いて行うことにより、任意での着脱が可能となる。従って、殺菌液供給源９２による洗浄が必要となったときに、適宜、水用ワンタッチジョイント６１に接続されるものであり、通常の歯科診療時においては殺菌液供給源９２は接続されていない。
【００４３】
加圧手段９４は、手押しポンプ或いは電動モータ等の簡易な構造のものが使用される。そして、加圧手段９４への操作により、殺菌液供給源９２内の殺菌液を押し出して水用ワンタッチジョイント６１を介して加圧水供給管路１ａに供給することができ、これにより、実施の形態１と同様に加圧水供給管路１ａ内の洗浄が可能となる。
【００４４】
このような実施の形態では、加圧手段９４を有した殺菌液供給源９２を既存の水用ワンタッチジョイントに接続するだけで良く、簡単な構造で水回路内の洗浄を行うことができる。また、既存の歯科診療装置に設計変更を要することなく組み込むことができる。
【００４５】
また、この実施の形態では、水圧源１と水用ワンタッチジョイント６１とを連結する管路に逆止弁９５が配置されている。逆止弁９５は、サプライボックス１００内における濾過フィルタ３ｂの下流側に位置するように加圧水供給管路１ａに挿入されており、この挿入により水流が水用ワンタッチジョイント６１から水圧源１に逆流することを防止している。
【００４６】
このような逆止弁９５を設けることにより、殺菌液が水圧源１へ逆流することがなくなるため、水圧源１への悪影響がないと共に殺菌液の浪費を防止することができる。
【００４７】
【発明の効果】
以上説明したように、請求項１及び２の発明によれば、切替バルブ及び殺菌液供給源を加圧水供給管路に接続し、切替バルブの切り替えを行うだけで加圧水供給管路の洗浄を行うことができる。このため、簡単な構造で水回路内の洗浄を行うことができ、しかも既存の歯科診療装置に設計変更を要することなく組み込むことができ、汎用性のあるものとすることができる。
【００４８】
請求項３及び４の発明によれば、殺菌液供給源を水用ワンタッチジョイントに接続し、加圧手段によって殺菌液を押し出すことにより、水用ワンタッチジョイントから加圧水供給管路に殺菌液を流して洗浄を行うことができる。このため、簡単な構造で水回路内の洗浄を行うことができ、しかも既存の歯科診療装置に設計変更を要することなく組み込むことができる。
【図面の簡単な説明】
【図１】本発明の実施の形態１における配管構成図である。
【図２】本発明の実施の形態２における配管構成図である。
【符号の説明】
１      水圧源
１ａ    加圧水供給管路
３ｂ    濾過フィルタ
１４    ハンドピース
６１    水用ワンタッチジョイント
９２    殺菌液供給源
９３    切替バルブ
９４    加圧手段
９５    逆止弁
１００  サプライボックス
【図１】
2004321276.tif 000003
【図２】
2004321276.tif 000004